(57)【要約】  実質的に平行な情報トラック（Ｔ）を搬送する、移動記録メディアにアクセスするためのピックアップ（Ｐ）は、キャリア（Ｃ）と、アクチュエータ（Ａ）と、キャリア（Ｃ）及びアクチュエータ（Ａ）と結合されたサスペンション要素を有する。アクチュエータ（Ａ）は、胴体部（Ｂ）とレンズ（３）とを有し、トラッキング方向（Ｘ）及び焦点方向（Ｙ）に移動可能である。サスペンション要素は、実質的にトラッキング方向（Ｘ）及び焦点方向（Ｙ）に対して直角の情報方向（Ｚ）に伸び、トラッキング方向（Ｚ）において胴体部（Ｂ）の対向面に配置され、焦点方向（Ｙ）において各々の面に積み重ねられる。各々のサスペンション要素は、２つの部分を有し、第１の部分はキャリア（Ｃ）と接続され、第２の部分はアクチュエータ（Ａ）の胴体部（Ｂ）に接続される。本発明によると、サスペンション要素は、複数のサスペンションワイヤ（４）として構成され、各々のサスペンションワイヤ（４）は折り畳まれ、第１の部分及び第２の部分は、折り畳まれたサスペンションワイヤ（４）の第１の辺（１０）及び第２の辺（１１）として構成され、両面（１０、１１）は、互いに鋭角を形成する。
2010520572.tif 000002
【特許請求の範囲】
【請求項１】
実質的に平行な情報トラックを搬送する、移動記録メディアにアクセスするためのピックアップであって、
前記ピックアップ（Ｐ）は、キャリア（Ｃ）と、アクチュエータ（Ａ）と、前記キャリア（Ｃ）と前記アクチュエータ（Ｃ）とを結合するサスペンション要素とを有し、
前記アクチュエータ（Ａ）は、胴体部（Ｂ）とレンズ（３）とを有し、情報方向（Ｘ）及び焦点方向（Ｙ）に移動可能であり、
前記サスペンション要素は、前記トラッキング方向（Ｘ）及び前記焦点方向（Ｙ）に対して直角の情報方向（Ｚ）に実質的に伸び、前記トラッキング方向（Ｘ）において前記胴体部（Ｂ）の対向面に配置され、前記焦点方向（Ｙ）において各々の面で積み重ねられ、各々のサスペンション要素は、第１の部分と第２の部分とを有し、前記第１の部分は前記キャリア（Ｃ）と接続され、前記第２の部分は前記アクチュエータ（Ａ）の前記胴体部（Ｂ）と接続され、
前記サスペンション要素は、複数のサスペンションワイヤ（４）として構成され、各々のサスペンションワイヤ（４）は折り畳まれ、前記第１の部分及び前記第２の部分は、折り畳まれた前記サスペンションワイヤ（４）の第１の辺（１０）及び第２の辺（１１）として構成され、前記２つの辺（１０、１１）は、互いに鋭角に形成されることを特徴とするピックアップ（Ｐ）。
【請求項２】
サスペンションワイヤ（４）の前記２つの辺（１０、１１）は、前記トラッキング方向（Ｘ）及び前記情報方向（Ｚ）にわたる平面内に配置されることを特徴とする請求項１に記載のピックアップ（Ｐ）。
【請求項３】
前記第１の辺（１０）は、前記第２の辺よりも長く、前記情報方向（Ｚ）において、前記第１の辺（１０）の前記端部をキャリアに接続する前記キャリアは、前記第２の辺（１１）の前記端部を前記アクチュエータ（Ａ）の前記胴体部（Ｂ）に接続するアクチュエータ接続手段に関して離れて配置されることを特徴とする請求項１又は２に記載のピックアップ（Ｐ）。
【請求項４】
前記アクチュエータ接続手段は、前記キャリア（Ｃ）を有する前記第２の辺（１１）を機械的及び電気的手法で同時に接続するはんだ付けサスペンションポイントとして構成されることを特徴とする請求項１から３のいずれかに記載のピックアップ（Ｐ）。
【請求項５】
前記アクチュエータ接続手段は、機械的接続のための誘導要素（１３）と電気的接続のためのはんだ付けポイント（１４）を備えることを特徴とする請求項１から３のいずれかに記載のピックアップ（Ｐ）。
【請求項６】
前記胴体部（Ｂ）は、少なくとも１つの追加の光学的又は電気的構成要素を備えることを特徴とする請求項１から５のいずれかに記載のピックアップ（Ｐ）。
【請求項７】
前記追加の構成要素は、レーザーダイオード、光検出器、レーザー出力制御回路又は光検出器信号調整回路のうちの１つであることを特徴とする請求項６に記載のピックアップ（Ｐ）。
【請求項８】
請求項１から７のいずれかに記載のピックアップ（Ｐ）を有することを特徴とする移動記録メディアドライブ。
【発明の詳細な説明】
【技術分野】
【０００１】
本発明は、請求項１の前段に係る移動記録メディアにアクセスするためにピックアップに関する。ピックアップは、記録及び再生装置、例えばＤＶＤプレイヤー、ＤＶＤレコーダー、又は同様の装置の一部として用いられる。
【背景技術】
【０００２】
実質的に平行な情報トラックを搬送する、移動記録メディアにアクセスするためのピックアップは、ディスクの半径方向に移動しながら、移動記録メディア、すなわち回転ディスクに関する情報を記録及び／又は再生する。ピックアップにおいては、典型的に、１又は複数の光ビームがディスク内の層上のターゲット又は走査スポット上に生成及び集光される。ディスクからくる読み出し光ビームは、光検出器上に投影され、そこで更なる計算のための電気信号に変換される。
【０００３】
ピックアップは、キャリアと呼ばれる固定部、アクチュエータと呼ばれる移動可能部、及びキャリアとアクチュエータとを結合するサスペンション要素を備える。サスペンション要素は、アクチュエータを移動可能に支持するとともに、コイルに電流を流し、アクチュエータの胴体部に配置される。コイル及び磁石構成は、総称して磁気駆動部と呼ばれ、アクチュエータの移動を開始する。レンズとともにアクチュエータを移動することにより、ビームスポットをディスク上に正確に位置付けることができる。
【０００４】
デバイスを支持する光学システムと呼ばれるピックアップは、特許文献１で説明される。ピックアップは、固定基板と、光学システムを保持する移動可能保持部材及び保持手段を支持するバネとして構成されるサスペンション要素を備え、基板はバネを運搬する。保持部材は、メディアに対して直角の焦点方向（focus direction）及びトラックに対して直角のトラッキング方向（tracking direction）に移動可能である。バネは、各々の面で、トラッキング方向の保持部材の対抗に配置され、焦点方向に積み重ねられる。
【０００５】
各々のバネは、接線方向に平行に配置された平行部分を備え、トラッキング方向並びに焦点方向、及び屈曲部の両方に垂直であり、光軸に対して伸びる。２つの部分を有するバネは、実質的に基板の固定部材と保持部材の固定部材との間の接線方向に伸び、ばねの屈曲部は光軸に対して屈曲している。それ故に、アクチュエータは、トラッキング方向に関して小さな幅で作られ、従って、保持部材を保持部材の駆動感度が向上されるように軽量に作ることができる。
【発明の概要】
【発明が解決しようとする課題】
【０００６】
アクチュエータの移動に関して請求項１の前段にしたがってピックアップをさらに改善することが望ましい。特に、焦点方向及び／又はトラッキング方向に移動されるとき、トラッキング方向及び焦点方向に対して直角の情報方向においてアクチュエータの偏向を減少することが望ましい。
【課題を解決するための手段】
【０００７】
本発明によると、請求項１の特徴によってこれが達成される。本発明の可能な有利な発展は、従属項によって特定される。
【０００８】
実質的に平行な情報トラックを搬送する移動記録メディアにアクセスするためのピックアップは、キャリアと、胴体部及びレンズを有するアクチュエータと、キャリアとアクチュエータとを結合するサスペンション要素を有する。アクチュエータは、トラッキング方向及び焦点方向に移動可能である。サスペンション要素は、いわゆる接線方向に対応する、トラッキング方向及び焦点方向に対して直角の情報方向（information direction）に実質的に伸びる。
【０００９】
サスペンション要素は、トラッキング方向の胴体部の対向面に配置され、各々の面で焦点方向に積み重ねられる。サスペンション要素は２つの部分を有し、第１の部分はキャリアと接続され、第２の部分はアクチュエータの胴体部と接続される。
【００１０】
本発明によると、サスペンション要素は、サスペンションワイヤとして構成され、各サスペンションワイヤは折り畳まれている。すなわち、サスペンション要素の第１の部分及び第２の部分は、折り畳まれたサスペンションワイヤの第１の辺及び第２の辺として構成される。サスペンションワイヤの両辺は、隣り合って近接して伸びるために互いに鋭角を形成する。
【００１１】
本発明に係るサスペンションワイヤの折り畳み構造の結果として、焦点方向及び／又はトラッキング方向に移動されるときに、情報方向において、アクチュエータの偏向は、少なくとも部分的に、サスペンションワイヤの２つの部分によって引き起こされ、互いにつりあっている。磁気駆動部において、アクチュエータの移動に関する小さな空隙を備えることができ、アクチュエータの移動を開始するコイルの感度を向上することができる。
【００１２】
折り畳まれたサスペンションワイヤを有するピックアップを提供することによって、情報方向におけるピックアップの長さは、ピックアップの全体のコンパクトさを向上するために短くすることができる。
【００１３】
好ましくは、サスペンションワイヤの両辺は、トラッキング方向及び情報方向にわたる平面内、すなわち移動記録メディアの表面と平行な平面内に配置される。
【００１４】
本発明にかかるピックアップの１つの形式において、サスペンションワイヤの２つの辺は、ほぼ同じ長さを有し、そのため、第１の辺の端部をキャリアに接続するキャリア接続手段及び第２の辺の端部を胴体部に接続するアクチュエータ接続手段は、並んで配置されている。
【００１５】
代替として、サスペンションワイヤの第１の辺は、第２の辺より長く、情報方向において、キャリア接続手段は、アクチュエータ接続手段に関して離れて配置される。言い換えると、情報方向において、キャリア接続手段は、アクチュエータ接続手段の背面に、及びアクチュエータ接続手段と並ばずに配置される。その結果、トラッキング方向におけるアクチュエータの幅は、小さく保たれる。
【００１６】
好ましくは、アクチュエータ接続手段は、サスペンションワイヤの第２の辺の端部とキャリアを機械的及び電気的に接続する、はんだ付けサスペンションポイント（soldered suspension point）として構成される。好ましくは、はんだ付けサスペンションポイントは、アクチュエータの重心を通る軸に、又は付近に配置される。
【００１７】
代替として、アクチュエータ接続手段は、機械的接続のための誘導要素を備える。その誘導要素は、アクチュエータの重心を通る軸に、又は付近に配置され、電気的接続のためのはんだ付けポイントと離れている。機械的及び電気的接続の分離によって、電気的接続に機械的応力からの負荷がかからない。
【００１８】
代替として、アクチュエータの胴体部は、追加の構成要素を備える。そのような構成要素は、レーザーダイオード、検出器、更なるダイオード及び／又は光学部品などの光学的なものとすることができる。それらはさらに、レーザー出力制御及び／又は光検出器信号調節のためのモジュレータ又は電子回路などの電子的構成要素とすることができる。
【００１９】
好ましくは、移動記録メディアドライブは、本発明によるピックアップとともに提供される。
【００２０】
剛接続された素子の集団であるキャリアは、キャリア、サスペンションワイヤ及びアクチュエータを含む、全体として典型的なピックアップが移動可能であり、記録メディア上の情報トラックに対して直角の方向に移動されるということを妨げるわけではなく、そのため、メディア上の全ての記録位置をアクセスすることができる。これにおいて、アクセスすることは、記録メディアから情報を読み出すための読み出しアクセス、又は情報を記録メディアに書き込む又は記録するための書き込みアクセス、又は読み出し及び書き込みアクセスの組み合わせを当然含む。
【００２１】
移動記録メディアの１つの可能な形態は、アクセス光ビームが生成されて情報トラック上に焦点化され、情報トラックから戻ってきて情報トラックによって調節される反射光ビームが光検出器配列上に焦点化されて計算される、反射型のアクセスを有する、同心円又は螺旋状の情報トラックを搬送するディスクである。しかしながら、アクセス原理が反射型又は変換型であるかに関わらず、カード又はテープ形式のような、層内に情報トラックを有する光学記録メディアの他の形式で用いられる本発明の範囲内である。
【図面の簡単な説明】
【００２２】
本発明は、図１及び２に例示される１つの実施形態を用いてより詳細に説明されるであろう。
【図１】本発明の実施形態のピックアップの簡略化された斜視図である。
【図２】図１の拡大された細部を示す図である。
【発明を実施するための形態】
【００２３】
図１及び２を参照して、本発明によると、移動記録メディア、すなわちディスクＤにアクセスするためのピックアップＰは、ベース１及びホルダ２を有するキャリアＣと、胴体部Ｂ及びレンズ３を有するアクチュエータＡと、キャリアＣ及びアクチュエータＡを結合しているサスペンションワイヤ４とを有する。
【００２４】
サスペンションワイヤ４を有するサスペンションによって、レンズ３を有するアクチュエータＡは、図１に示される非常に不均衡な距離を有する実質的に円形の情報トラックを搬送するディスクＤに対して直角の焦点方向Ｙの焦点動作を実行することができる。さらに、アクチュエータＡは、ディスクＤと平行であって情報トラックＴに対して直角のトラッキング方向Ｘのトラッキング動作を実行することができる。さらに、アクチュエータＡは、トラッキング方向及び焦点方向に対して直角であって、走査スポットＳで情報トラックＴの接線と平行である、情報方向Ｚ周りに回転することによって、いわゆるラジアルチルト動作（radial tilt motion）を実行することができる。
【００２５】
胴体部Ｂは、レンズ３と２つのプリント基板６とを運搬するコーパス５（corpus）を備え、２つのプリント基板６は情報方向Ｚに対して直角に伸び、コーパス５の対向面、すなわち、ホルダ２の前方の背面及び正面に配置される。プリント基板６は、図示されない少なくともトラッキングコイル及び焦点コイルを運搬する。
【００２６】
６つのサスペンションワイヤ４は、実質的に情報方向Ｚに伸び、互いに平行に配置され、情報方向Ｚに配向される。それらは、胴体部Ｂに関して対称に配置され、サスペンションワイヤ４のうちの３つは、トラッキング方向Ｘにおいて胴体部Ｂの２つの各々の対向面に配置される。胴体部Ｂの各々の面で、３つのサスペンションワイヤ４が積み重ねられ、すなわち焦点方向Ｙにおいて、互いの先端部に配置される。サスペンションワイヤ４は、アクチュエータＡがキャリアＣのベース１の上に吊り下げられるように、アクチュエータＡとキャリアＣとを接続する。
【００２７】
ピックアップＰは、ベース１上に固定された少なくとも２つの磁石７を有する磁石構成をさらに有する。磁石７は、情報方向Ｚにおいて、胴体部Ｂの２つの対向面の前方、特に、コイルを有するプリント基板６の前方のベース１上に位置付けられる。プリント基板６上のコイルは、磁石構成と協調する。コイルは、プリントコイル又はプリントコイル基板６上の微細パターンコイルとして形成される。
【００２８】
ベース１は、実質的に焦点方向Ｙに対して直角であり、ディスクＤに平行な平面、すなわちトラッキング方向Ｘ及び情報方向Ｚにわたる平面に伸びる。ベース１は、スクリュー（screw）９付近のストラップ（strap）８の向こう側にあるホルダ２と接続されている。
【００２９】
本発明によると、各々のサスペンションワイヤ４は、第１の辺１０及び第２の辺１１に折り畳まれ、サスペンションワイヤ４の２つの辺１０、１１は、互いに鋭角を形成している。第１の辺の端部は、図１に図示されないキャリア接続手段によってキャリアＣと接続されている。第２の辺の端部は、アクチュエータ接続手段によってアクチュエータＡの胴体部Ｂと接続されている。サスペンションワイヤ４の２つの辺１０、１１は、トラッキング方向Ｘ及び情報方向Ｚ、すなわちトラックＴの方向にわたる平面に配置される。第１の辺は情報方向Ｚにおいて第２の辺より長いため、キャリア接続手段はアクチュエータ接続手段に関して離れて配置される。
【００３０】
キャリア接続手段は、ホルダプリント基板１２上のはんだ付けポイントとして構成される。ホルダプリント基板１２は、アクチュエータＡの反対側にあるホルダ２の面に位置付けられる。ホルダ２は、内側に制振材を有する減衰ブロックによって構成され、減衰ブロックは、ホルダ２を通って伸びるサスペンションワイヤを減衰する。
【００３１】
各々のアクチュエータ接続手段は、機械的接続のための誘導要素１３及び電気的接続のためのはんだ付けポイント１４を備える。
【００３２】
誘導要素１３は誘導機構として構成され、コーパス５と接続され、アクチュエータＡの重心を通る軸、特に、トラッキング方向Ｘ及び情報方向Ｚにわたる平面内の軸を介して配置される。
【００３３】
はんだ付けポイント１４は、情報方向Ｚにおいて、プリント基板６で、誘導要素１３に関して離れて配置され、アクチュエータＡの背面に位置付けられる。プリント基板６は、はんだ付けポイント１４のための金属表面とともに備えられる。アクチュエータＡも、焦点方向Ｙ及び情報方向Ｚにわたる平面に伸び、２つのプリント基板６と電気的に接続されるアクチュエータプリント基板１６を備える。アクチュエータ接続手段の細部は、図２で一番良くわかる。
【００３４】
代替として、サスペンションワイヤ４は、焦点方向Ｙ及び情報方向Ｚにわたる平面、又はこの平面とトラッキング方向Ｘ及び情報方向Ｚにわたる平面の間の平面に配置される。
【００３５】
それとは無関係に、代替として、アクチュエータ接続手段は、はんだ付けサスペンションポイントとして構成され、機械的及び電気的手法で同時に、キャリアＣを有する第２の辺の端部を接続する。
【００３６】
それとは無関係に、代替として、サスペンションワイヤ４の２つの辺１０、１１は、ほぼ同じ長さを有し、そのため、第１の辺の端部とキャリアＣとを接続するキャリア接続手段と第２の辺の端部と胴体部Ｂを接続するアクチュエータ接続手段は、並んで配置される。
【００３７】
それとは無関係に、代替として、胴体部Ｂは、少なくとも１つの追加の光学的又は電気的構成要素を有する。追加の構成要素は、レーザーダイオード、光検出器、レーザー出力制御回路又は光検出器信号調整回路のうちの１つである。
【００３８】
本発明に係るピックアップＰは、いわゆる光学メディアデバイスのスライド又はスレッドデザインにおいて利用することができ、リニアモーター又はモーター駆動ねじ棒（motor driven threaded rod）のような、シフトを実現するための適当なリニア駆動手段を用いて、駆動の枠組み構造にシフト可能に適合する。代替として、本発明に係るピックアップＰは、いわゆるスイベル（swivel）アームデザインにおいても利用可能であり、焦点方向と平行な旋回軸を有するアームの端部上に旋回可能に搭載されている。このように、ピックアップＰは、トラッキング方向Ｘに主な伸長を有するアークに沿ってディスクＤの表面上のトラックＴに向かって移動可能である。
【図１】
2010520572.tif 000003
【図２】
2010520572.tif 000004
【国際調査報告】
2010520572.tif 000005
2010520572.tif 000006